(57)【要約】【解決課題】軽量で簡単に取り付けることができて、製造方法も容易であって、而も強固にスリーブを支持することができるスリーブガイドを提供する。【解決手段】２枚の３角の板１１、１５のそれぞれの中央部の上部、または下部に切り込みを設けて、その上下の切り込みを組み合わせて、その下部にボルト２５を嵌挿した円盤１９を着設することによって、軽くて強固なスリーブガイドとした。【選択図】図３
2007138417.tif 000002
【特許請求の範囲】
【請求項１】
上部に切り込みを設けた三角形の板と、下部に切り込みを入れた三角形の板と、中央部にボルトを挿入する孔が穿設された円盤と、前記円盤の孔に挿入されるボルトよりなるスリーブガイドであって、前記三角形の板の上部と下部の切り込みを噛合させ、２枚の三角形の板を噛合させた底部に前記ボルトを挿入した円盤を固着したことを特徴とするスリーブガイド。
【請求項２】
三角形の板の上部先端が切除されていることを特徴とする請求項１に記載の
スリーブガイド。
【請求項３】
前記円盤の周囲に凹部を設けて、前記三角形の板の底部が噛合していることを特徴とする請求項１又は請求項２に記載のスリーブガイド。
【発明の詳細な説明】
【技術分野】
【０００１】
本発明は、プレキャストコンクリート（ＰＣ）柱のたて打ち時に、型枠にスリーブを固定するために使用するスリーブガイドに関わる。より詳細には、軽量で簡単に取り付けることができて、製造が容易なスリーブガイドに関わる。
【背景技術】
【０００２】
従来、プレキャストコンクリート（ＰＣ）柱の立て打ち時に使用されるスリーブガイドは紡錘形の砲弾型のものが用いられている。砲弾型のスリーブガイドの製造は、砲弾型の中を刳り貫き、刳り貫いた孔にボルトを挿入して製造されたものであった。それ故に製造コストもかかる上に、重たく、運搬、取付け等の取扱も大変であった。
【０００３】
特許文献１に記載のスリーブ支持部材は、特許文献１の４頁の段落[００２４]に「スリーブ支持部について説明すると、スリーブ支持部は、支持ボルト（嵌合部材）を備えている。この支持ボルトは、ステンレス鋼などの金属からなるものであり、図１に示すように、スリーブの内径とほぼ同一外径を有する頭部と、この頭部の一端面中央部に形成された突出部と、この突出部の先端面中央部に形成されたねじ部とから構成されている。ねじ部は、貫通孔とほぼ同一外径を有しており、貫通孔に対し空隙部側から挿脱自在に挿通されている。ねじ部は、貫通孔を貫通して外部に突出しており、そこにはナットが螺合されている。このナットを締め付けて、突出部とナットとによって端板を挟持することにより、支持ボルトが端板に固定されている。」と記載されている形状を有している。
【０００４】
特許文献２のスリーブ固定部材は、特許文献の第４頁の段落[００３６]より、「本発明のコンクリートプレキャスト用スリーブ固定具は、２つの分離可能な部材からなり、その一つはスリーブ支持部材であり、他の部材は固定部材からなる。」スリーブ支持部材は、スリーブ（図示せず）の端部を内側から支承するためのものである。固定部材は、スリーブ支持部材に嵌合して磁力によってスリーブ支持部材を型枠に固定するためのものである。固定部材は、先端側（固定時に型枠に接する側）に小径部，基端側（固定時に型枠から遠くなる側）に大経部を有する異径筒状体からなる。小径部と大経部の移行部には段部が形成されている。」と記載された形状を有している。特許文献２のスリーブ固定部材は、磁力でスリーブ支持部材を型枠に固定するものである。
【０００５】
以上のように、既存のスリーブガイドは構造が複雑で、重量が重く、製造コストも高いという欠点があった。それ故に、簡単に製造ができて使用、運搬のためにも軽量で取り扱いやすいスリーブガイドの出現が望まれていた。
【特許文献１】特開平５−１１６１２６号公報
【特許文献２】特開２０００−２９６５１５号公報
【発明の開示】
【発明が解決しようとする課題】
【０００６】
本発明は、軽量で簡単に取り付けることができて、製造方法も容易であって、而も強固にスリーブを支持することができるスリーブガイドを提供することにある。
【課題を解決するための手段】
【０００７】
軽く、製造方法が容易なスリーブガイドを提供するために鋭意検討を重ねた結果、２枚の３角の板のそれぞれの中央部の上部、または下部に切り込みを設けて、その上下の切り込みを組み合わせることによって、軽くて強固なスリーブガイドの提供に成功した。
【０００８】
本発明のスリーブガイドの第１の特徴は、上部に切り込みを設けた三角形の板と、下部に切り込みを入れた三角形の板と、中央部にボルトを挿入する孔が穿設された円盤と、前記円盤の孔に挿入されるボルトよりなるスリーブガイドであって、前記三角形の板の上部と下部の切り込みを噛合させ、２枚の三角形の板を噛合させた底部に前記ボルトを挿入した円盤を固着したことを特徴とするスリーブガイドである。上部に切り込みを設けた三角形の板と、下部に切り込みを入れた三角形の板の相互の切り込みを噛合させると、強固な４枚の羽根からなる三角錐ができる。中央にボルト用の孔が穿設された円盤にボルトを挿通し、この円盤に、前記三角錐の底面を固着することによって簡単にスリーブガイドができる。
【０００９】
本発明の第２の特徴は、三角形の板の上部先端が台形状に切除されていることを特徴とする請求項１に記載のスリーブガイドである。強固な４枚の羽根からなる三角錐の先端部を台形状に切除することによって、切り込みがし易くなると共に、４枚の羽根からなる三角錐にしたときに、鋭利な先端部のない安全なスリーブガイドができる。
【００１０】
本発明の第３の特徴は、前記円盤の周囲に凹部を設けて、前記三角形の４枚の羽根の底部と噛合していることを特徴とする請求項１又は請求項２に記載のスリーブガイドである。円盤の周囲に凹部を設けて、前記三角形の４枚の羽根の底部を噛合させることによって、４枚の羽根がより安定化すると共に、スリーブガイドの強度を増す効果がある。
【発明の効果】
【００１１】
本発明のスリーブガイドは２枚の３角の板を組み合わせる簡単な構造であるため、様々な大きさのスリーブに対応することができるスリーブガイドを簡単に製造することができる。２枚の３角板の一方は上部に、他方は下部に凹部を設けて、それぞれの三角板の上下の凹部を噛合させているので、左右からの荷重に対しても耐える強度を有している。
【発明を実施するための最良の形態】
【００１２】
図１の（１−１）は先端を切断し、下部に切り込み１２を設けた三角板１１の側面図を示す。切り込み１３はスリーブガイドの底部に着設するボルトヘッドの為の切り込みである。切り込み１４は底部に着設する円盤の切り込みに噛合する部分である。同様に図１（１−２）は三角板１５の上部に切り込み１６を入れて、図１（１−１）の三角板１１の切り込み１２と噛合するようにする。前記と同様に、ボルトヘッドの為の切り込み１７と円盤の切り込みに噛合する切り込み１８を作る。
【００１３】
図２（２−１）は図１（１−１）と図１（１−２）の２枚の三角板を組み合わせた底部に着設する円盤１９の構造を示す。円盤１９の周囲４カ所に設けた切り込みは、図１（１−１）と図１（１−２）に示す三角板の下部の円盤噛合部１４，１４，１８，１８が噛合する切り込みである。円盤１９の中央の孔２１は、図２（２−２）に示すボルト２２を挿入する孔２１である。
【００１４】
図３は、２枚の三角板１１、１２を噛合させて、その底部にボルト２２を挿入した円盤１９を着設した本発明のスリーブガイド１００の斜視図である。ボルトヘッド２５と円盤の接点ａと三角板の下部の切り込み１４，１４，１８，１８と円盤の切り込み２０の噛合部ｂはそれぞれ溶接することによって固定する。
【００１５】
図４はスリーブガイド１００の三角板とボルトと円盤を組み立てた各側面を示している。図４（４−１）は下部に切り込みを入れた三角板１１とボルトヘッド２５と円盤１９とボルト２２の側面と、図４（４−２）は上部に切り込みを入れた三角板１５とボルトヘッド２５と円盤１９とボルト２２の側面を示している。それぞれの三角板の側面に示す破線はｃからｄ方向に三角板の幅を変更できることを示している。三角板の幅をｃからｄの方向に大きくすることによって、様々な大きさのスリーブガイドを提供することができる。このように、三角板の幅を変えることによって、大きさの異なるスリーブに簡単に対応することができる。
【００１６】
本発明のおいては、厚さ６ｍｍのステンレス鋼板を用いて、高さ８０ｍｍ、上部の幅２３ｍｍ、下部の幅５３ｍｍの二枚の三角板を作成した。一方の三角板の下部の切り込み１２は幅６．５ｍｍ、深さ３２ｍｍとした。他方の三角板の上部の切り込み１６は幅６．５ｍｍ、深さ３２ｍｍとした。それぞれの三角板の下部に設けるボルトヘッドのための切り込み１３、１７は幅２６ｍｍ、深さ１０ｍｍとした。円盤１９に噛合する三角板の切り込み１４、１８は幅３４ｍｍ、深さをそれぞれ６ｍｍづつ設けた。三角板の底面に取着する円盤１９は直径４４ｍｍとし、その円盤に６．５ｍｍの幅で、深さ５ｍｍの切り込み２０を４カ所設け、中央にボルトの孔１３ｍｍを穿設した後、それぞれを組み合わせ、図３のａ、ｂの位置を溶接により固着してスリーブガイド１００を製造した。本発明のスリーブガイド１００の大きさはこれらに限定されるものではなく、使用するスリーブに合わせて適宜変更することができる。
【００１７】
図５は本発明のスリーブガイド１００の使用例を示している。ＰＣ柱のたて打ち時に、型枠２３にスリーブガイド１００のボルト２２を型枠に穿設されたネジ孔（図示せず）に螺着してから、スリーブ２４を固定する。本発明のスリーブガイド１００を用いることによって、ＰＣ柱のたて打ち時のスリーブ２４の位置決め、固定を簡単に行うことができる。
【図面の簡単な説明】
【００１８】
【図１】２枚の三角形の板の側面図を示している。
【図２】スリーブガイドの底部に着設する円盤の上面図とボルトの斜視図である。
【図３】２枚の三角板と底面の円盤を組み立てたスリーブガイドの斜視図である。
【図４】２枚の三角板の両翼面を広げた側面図である。
【図５】スリーブガイドの使用状態を示す斜視図である。
【符号の説明】
【００１９】
１００：スリーブガイド
１１：三角板
１２：下部切り込み（１６の噛合部）
１３：ボルトヘッドの切り込み
１４：円盤の噛合部
１５：三角板
１６：上部切り込み（１２の噛合部）
１７：ボルトヘッドの切り込み
１８：円盤の噛合部
１９：円盤
２０：三角板下部の噛合部
２１：ボルト孔
２２：ボルト
２３：型枠
２４：スリーブ
２５：ボルトヘッド
【図１】
2007138417.tif 000003
【図２】
2007138417.tif 000004
【図３】
2007138417.tif 000005
【図４】
2007138417.tif 000006
【図５】
2007138417.tif 000007